(57)【要約】      （修正有）【課題】グリーティングカードに込められたメッセージを、届けられた限られた時期のみならず、長期にわたって回想することができるようにしたグリーティングカードを提供する。【解決手段】メッセージが記録されるメッセージカード４と、このメッセージカードが収納されるシート状のカバー１と、このカバーと前記メッセージカードとが収納される封筒とからなり、前記カバーには、前記メッセージカードの一部が挟み込まれて保持されるポケット３が一体に設けられている。【選択図】図７
0003177792.tif 000002
【実用新案登録請求の範囲】
【請求項１】
メッセージが記録されるメッセージカードと、このメッセージカードが収納されるシート状のカバーと、このカバーと前記メッセージカードとが収納される封筒とからなり、前記カバーには、前記メッセージカードの一部が挟み込まれて保持されるポケットが一体に設けられていることを特徴とするグリーティングカード。
【請求項２】
前記カバーが可撓性を有するシートによって形成され、その一部を折り曲げて重畳部を形成するとともに、その重畳部の、前記カバーの縁近傍の一部を線状に一体化し、この重畳部の残余の部分を前記カバーの内側へ向かう開放部とすることによって前記ポケットが形成され、前記開放部から前記メッセージカードの一部が挿入把持されるようになされていることを特徴とする請求項１に記載のグリーティングカード。
【請求項３】
前記ポケットが、所定間隔をおいて２箇所に形成され、前記カバーが、前記両ポケットに挟み込まれて把持される前記メッセージカードとともに、前記二つのポケットの間で二つ折りに折りたたまれるようになされていることを特徴とする請求項１に記載のグリーティングカード。
【請求項４】
前記カバーが透明な合成樹脂シートによって形成されているとともに、その表面若しくは裏面に、収納される前記メッセージカードが透視されるのを防止するための図柄等の目隠し処理が施されていることを特徴とする請求項１ないし請求項３の何れかに記載のグリーティングカード。
【考案の詳細な説明】
【技術分野】
【０００１】
本考案はグリーティングカードに係わり、特に、使用後において他の用途に転用可能としたグリーティングカードに関する。
【背景技術】
【０００２】
季節の挨拶や祝い等に、種々のグリーティングカードが用いられている。
このグリーティングカードは、メッセージカードと、それを収納する封筒とによって構成され、前記メッセージカードにメッセージを記入したのちに、このメッセージカードを前記封筒に入れて届けるようにしたものが一般的である（特許文献１）。
【先行技術文献】
【特許文献】
【０００３】
【特許文献１】特開２００８−１６２６８６号公報
【考案の概要】
【考案が解決しようとする課題】
【０００４】
ところで、このような一般的なグリーティングカードにあっては、受け取り側では、メッセージを確認した後は他の手紙や葉書と同様に保管し、不定期に取り出して思い出を再確認するというように取り扱われることが多い
【０００５】
したがって、一つのグリーティングカードに込められた思い出が、いつ思い起こされるか不明で、全く思い起こされることなく忘れ去られてしまうことも多い。
【０００６】
本考案は、前述した従来の問題点に鑑みてなされたもので、グリーティングカードをその当初の目的以外の目的での使用を可能として、送られたメッセージを回顧する機会が多く得られるようなグリーティングカードを提供することを課題とする。
【課題を解決するための手段】
【０００７】
本考案の請求項１に記載のグリーティングカードは、前述した課題を解決するために、メッセージが記録されるメッセージカードと、このメッセージカードが収納されるシート状のカバーと、このカバーと前記メッセージカードとが収納される封筒とからなり、前記カバーには、前記メッセージカードの一部が挟み込まれて保持されるポケットが一体に設けられていることを特徴としている。
【０００８】
このような構成とすることにより、メッセージを受け取った後に、前記メッセージカードを前記カバーから取り外して前記封筒に収納する。
そして、前記メッセージカードを前記封筒とともに保管し、前記カバーを別個に使用することができる。
【０００９】
たとえば、このカバーにメモやスケジュールを挟み込んで使用することにより、常に携帯して日常的に使用することが可能となる。
【００１０】
一方、このカバーとともに届けられたメッセージを、このカバーを介して回想することができ、したがって、思い出を永く持ち続けることができる。
【００１１】
本考案の請求項２に記載のグリーティングカードは、請求項１に記載の前記カバーが可撓性を有するシートによって形成され、その一部を折り曲げて重畳部を形成するとともに、その重畳部の、前記カバーの縁近傍の一部を線状に一体化し、この重畳部の残余の部分を前記カバーの内側へ向かう開放部とすることによって前記ポケットが形成され、前記開放部から前記メッセージカードの一部が挿入把持されるようになされていることを特徴としている。
【００１２】
このような構成とすることにより、一枚のシートによって前記ポケットを有するカバーを形成することができるので、制作が簡便かつ容易である。
【００１３】
ここで、前記重畳部分の一体化は、接着若しくは融着によって行うことができる。
前者はシートとして紙などを用いる場合に有効であり、また、後者は、合成樹脂シートを用いる場合に有効な手段である。
【００１４】
本考案の請求項３に記載のグリーティングカードは、請求項１に記載の前記ポケットが、所定間隔をおいて２箇所に形成され、前記カバーが、前記両ポケットに挟み込まれて把持される前記メッセージカードとともに、前記二つのポケットの間で二つ折りに折りたたまれるようになされていることを特徴とする。
【００１５】
このような構成とすることにより、収納できるメッセージカードを大きくして、伝えるメッセージ内容を増やすことができる。
また、別目的に使用する場合において、二つ折りされた両側のそれぞれにメモやスケジュール等を挟み込むことができ、情報整理に用いることも可能となる。
【００１６】
本発明の請求項４に記載のグリーティングカードは、請求項１ないし請求項３の何れかに記載の前記カバーが透明な合成樹脂シートによって形成されているとともに、その表面若しくは裏面に、収納される前記メッセージカードが透視されるのを防止するための図柄等の目隠し処理が施されていることを特徴としている。
【００１７】
このような構成とすることにより、目隠し処理としての図柄等とメッセージカードに記録されたメッセージとの対応がなされ、図柄等を見ることによって送られたメッセージの内容が回想される。
【００１８】
また、前記目隠し処理によって、別目的での使用時に収納している情報を隠すことができ、これによって、別目的での使用可能範囲を広げることができる。
【考案の効果】
【００１９】
このように、本考案においては、送られたグリーティングカードを別目的でも使用することを可能にして、グリーティングカードに込められたメッセージを、届けられた限られた時期のみならず、長期にわたって回想することができるようにすることができる。
【図面の簡単な説明】
【００２０】
【図１】本考案の一実施形態を示すもので、カバーの正面図である。
【図２】本考案の一実施形態を示すもので、カバーの背面図である。
【図３】本考案の一実施形態を示すもので、メッセージカードの正面図である。
【図４】本考案の一実施形態を示すもので、封筒の背面図である。
【図５】本考案の一実施形態を示すもので、カバーの形成手順を示す展開図である。
【図６】本考案の一実施形態を示すもので、カバーの形成手順を示す背面図である。
【図７】本考案の一実施形態の使用手順を示すもので、メッセージカードを収納した状態を示すカバーの背面図である。
【図８】本考案の一実施形態の使用手順を示すもので、メッセージカードを封筒に収納する途中を示す背面図である。
【図９】本考案の一実施形態の使用状態を示すもので、他の情報カードを収納した状態を示すカバーの背面図である。
【考案を実施するための形態】
【００２１】
以下、本考案の一実施形態を、図面を参照して説明する。
図１および図２は本実施形態におけるグリーティングカードＣを構成するカバー１を示し、本実施形態においては透明な合成樹脂製シートが用いられており、その裏面側には、このカバー１を通しての透視を防止するための目隠し処理としての図柄Ｚが印刷されている。
【００２２】
前記カバー１矩形状に形成されているとともに、折線２を境に左右二つに区画され、それぞれの区画に異なる図柄Ｚが印刷されており、かつ、これらの図柄Ｚが表となるように二つ折り可能となされている。
【００２３】
前記カバー１の裏面で、下部両側には、それぞれポケット３が一体に設けられており、前記グリーティングカードＣを構成するメッセージカード４（図３参照）の両端下部が挿入されて把持されるようになっている。
【００２４】
前記メッセージカード４は、本実施形態においては矩形状の紙片が用いられており、前記カバー１と同様に中心において二つ折り可能となされており、その内面には、目的に応じたメッセージが記録されるようになっている。
【００２５】
図４は、本実施形態のグリーティングカードＣを構成する封筒５を示し、前記カバー１およびメッセージカード４を二つ折した状態で収納するようになっている。
【００２６】
一方、前記ポケット３は、合成樹脂シートを用いた本実施形態においては、たとえば、次のような方法によって形成される。
【００２７】
すなわち、図５に示すように、前記カバー１の下部両側部に、１／４円状の舌片６を連設しておき、これらの舌片６を前記カバー１の裏面側へ折りたたんで重畳させ、これらの舌片６を、その下縁部において前記カバー１に直線状に熱融着（融着部Ｂ）して一体化させることにより、上方に開口部を有する前記ポケット３が形成される。
そして、本実施形態においては、前記各舌片６にも図柄Ｙが施されている。
【００２８】
このように構成された本実施形態に係わるグリーティングカードＣは、まず、メッセージが記録されたメッセージカード４を、図７に示すように、開いた状態にある前記カバー１の裏面側に位置させ、両下端部を、前記カバー１に設けられている両ポケット３に差し込む。
これによって、前記メッセージカード４が前記カバー１に装着された状態となる。
【００２９】
ついで、これらのカバー１およびメッセージカード４を二つ折にした後に、これらを図８に示すように、封筒５へ入れて封をすることによって使用状態とすることができる。
【００３０】
一方、受け取り側にあっては、前記封筒５を開封して前記カバー１を取り出し、このカバー１を開くことによって、収納されているメッセージカード４を抜き取ってメッセージを確認することができる。
【００３１】
そして、メッセージを確認した後は、前記メッセージカード４のみを封筒５に戻し、前記カバー１をファイルとして用いることができる。
【００３２】
たとえば、図９に示すように、メモ用紙７やスケジュール用紙８をそれぞれのポケット３に挟み込んで、メモ帳やスケジュール帳として使用することができる。
【００３３】
ここで、前述したメモ帳やスケジュール帳を使用する場合、その都度、前記カバー１を見ることとなり、それとともに、このカバー１とともに送られたメッセージが思い起こされる。
したがって、送られたメッセージが永く残ることとなる。
【００３４】
そして、前記カバー１に図柄Ｙ・Ｚを施こすことによって、前述したメッセージをより効果的に思い起こさせることができる。
【００３５】
一方、前述した図柄Ｙ・Ｚによって、前記カバー１の内部が目隠しされていることから、前述したメモ帳やスケジュール帳として使用する場合にあっても、閉じた状態で内部が透視できず、通常の手帳のように使用することができる。
【００３６】
なお、前記実施形態において示した各構成部材の諸形状や寸法等は一例であって、メッセージの種類や贈る目的等に基づいて種々変更可能である。
たとえば、前記カバー１やメッセージカード４の形状は矩形状でなくとも円形、楕円形、星型等任意に設定することができ、また、図柄Ｙ・Ｚについても任意に設定することができ、また、図柄Ｙ・Ｚはなくても良い。
さらに、前記ポケット３は一方にだけ設けても良い。
【符号の説明】
【００３７】
１  カバー
２  折線
３  ポケット
４  メッセージカード
５  封筒
６  舌片
７  メモ用紙
８  スケジュール用紙
Ｂ  融着部
Ｃ  グリーティングカード
Ｙ  図柄
Ｚ  図柄
【図１】
0003177792.tif 000003
【図２】
0003177792.tif 000004
【図３】
0003177792.tif 000005
【図４】
0003177792.tif 000006
【図５】
0003177792.tif 000007
【図６】
0003177792.tif 000008
【図７】
0003177792.tif 000009
【図８】
0003177792.tif 000010
【図９】
0003177792.tif 000011